(57)【要約】      （修正有）【課題】自動開閉式傘を閉じる際に、下ろくろを任意の位置に停留させることができ、安全性を高めた、傘の開閉制御装置を提供する。【解決手段】傘の開閉制御装置はハンドルの座体１に設置され、プッシュ部材２が座体１に可動可能に設置され、座体上部にプッシュ部材により制御される制御機構３が設置され、前記制御機構が制御器と制御器内部に可動可能に設置された制御器内芯４を含み、前記プッシュ部材が制御器上部から伸入される。前記座体の下部に回転盤７が設置され、回転盤に複数のラチェット部７２と巻回溝７３が形成し、ぜんまい８の一端が座体及び他端が回転盤に固定されて弾性駆動力を成し、座体に前記制御器内芯と連動する揺動体５が設置され、前記揺動体がねじりバネ６の制御で常に回転盤と接触するトルクを備え、回転盤のラチェット部と係合可能であり、回転盤ワイヤが回転盤７上に固定され、巻回溝７３に巻き取られて制御機構と座体に挿通されて上ろくろに連接される。【選択図】図１
0003160984.tif 000002
【実用新案登録請求の範囲】
【請求項１】
傘の開閉制御装置であって、ハンドルの座体（１)上に設置され、プッシュ部材（２)が前記座体（１)内に可動的に設置され、
前記座体（１)上部に前記プッシュ部材（２)に制御される制御機構が設置され、前記制御機構が制御器（３)及び制御器内芯（４)を含み、前記制御器内芯（４)が前記制御器（３)内に可動可能に設置され、前記プッシュ部材（２)が前記制御器（３)上部から挿入され、前記座体（１)一端側に前記座体（１)の径方向に相対して回転する回転盤（７)が設置され、前記回転盤（７)の円周壁面上に複数のラチェット部（７２)と壁面全周に設けた巻回溝（７３)が形成され、ぜんまい（８)の一端が前記座体（１)上に固定され他端が前記回転盤（７)上に固定されることにより、前記回転盤（７)を回転させる弾性力が形成され、前記座体（１)上に前記制御器内芯（４)に押されて連動する揺動体（５)が設置され、前記揺動体（５)はねじりバネ（６)の制御で常に前記回転盤（７)と接触するトルクを備え及び前記回転盤（７)の前記ラチェット部（７２)と係合し、回転盤ワイヤ（９)の一端が前記回転盤（７)上に固定され、前記回転盤（７)の前記巻回溝（７３)上に巻き付けられて他端が前記制御機構と前記座体（１)に挿通され、傘の上ろくろに接続されたことを特徴とする、傘の開閉制御装置。
【請求項２】
傘の開閉制御装置において、前記座体（１)上部の軸方向に通孔（１１)が設けられ、下部に固定部が形成され、径方向に回転軸（１２)が凸設され、前記回転盤（７)の一面に円形の凹陥槽（７１)が形成され、前記回転盤（７)が回転可能に前記座体（１)下部に凸設された前記回転軸（１２)上に枢着され、前記ぜんまい（８)が前記回転盤（７)上の円形の凹陥槽（７１)内に設置され、前記ぜんまい（８)の両端がそれぞれ前記回転軸（１２)と前記凹陥槽（７１)の壁面上に接続されたことを特徴とする、請求項１に記載の傘の開閉制御装置。
【請求項３】
傘の開閉制御装置において、前記プッシュ部材（２)の末端に開傘ワイヤ（１０１)が接続され、前記開傘ワイヤ（１０１)の他端が前記傘の下ろくろ上に固定され、前記プッシュ部材（２)の頭部にボタンユニット（１３)と係合されるくびれ部が形成され、前記プッシュ部材（２)の先端に前方に向かってピン部（２１)が延伸されたことを特徴とする、請求項１に記載の傘の開閉制御装置。
【請求項４】
傘の開閉制御装置において、前記制御器（３)は管状の部材であり、内部軸方向に貫通する中空管路（３１)が形成され、前記制御器（３)の一端側の側面上に前記ボタンユニット（１３)を伸入させて前記プッシュ部材（２)と係合するためのウィンドウ（３５)が開設され、前記制御器（３)の他端側の側面上に側面全体を貫通し、前記回転盤ワイヤ（９)を挿通させるための凹陥溝（３３)が開設されたことを特徴とする、請求項３に記載の傘の開閉制御装置。
【請求項５】
傘の開閉制御装置において、前記制御器内芯（４)が前記制御器（３)の前記中空管路（３１)内部に可動可能に設置される管状の部材であり、その側面上に細長孔（４１１)が開設され、且つ前記凹陥溝（３３)の両端が共に側面に設けられたことを特徴とする、請求項４に記載の傘の開閉制御装置。
【請求項６】
傘の開閉制御装置において、前記制御器（３)の前記中空管路（３１)の内壁端部上にガイド溝（３１１)が設けられ、前記制御器内芯（４)の側面上に前記ガイド溝（３１１)に係合されるガイド突起部（４１２)が設けられたことを特徴とする、請求項４に記載の傘の開閉制御装置。
【請求項７】
傘の開閉制御装置において、前記制御器（３)上部の前記凹陥溝（３３)の末端部に外縁部から前記中空管路３１まで貫通する連通溝（３３１)が形成され、前記凹陥溝（３３)の両端が共に側面に設けられたことを特徴とする、請求項４に記載の傘の開閉制御装置。
【請求項８】
傘の開閉制御装置において、前記制御器内芯（４)が頭部柱体（４１)、後部柱体（４２)、バネ（４３)を含み、前記頭部柱体（４１)と前記後部柱体（４２)が前記バネ（４３)を介して連接され、中間部を軸方向に圧縮変形可能な部材を形成し、前記頭部柱体（４１)の軸方向に細長孔（４１１)が設けられたことを特徴とする、請求項１に記載の傘の開閉制御装置。
【請求項９】
傘の開閉制御装置において、前記揺動体（５)が２つの自由端を備えた塊体であり、その一方の自由端が前記制御器（３)から挿出された前記制御器内芯（４)の端部に当接し、前記揺動体（５)の他方の自由端が前記回転盤（７)の円周壁面上に当接され、且つ円周壁面上の前記ラチェット部（７２)と係合可能であることを特徴とする、請求項１に記載の傘の開閉制御装置。
【考案の詳細な説明】
【技術分野】
【０００１】
本考案は傘に関し、特に、自動開閉式傘の開閉制御装置に関する。
【背景技術】
【０００２】
現在の自動開閉式傘の開閉制御部材は主に、ハンドル、下ろくろ、下はじき、ワイヤ弾性片、ハンドル内に位置する座体、ボタン、及び中棒内に位置する開傘用バネ等の部材から構成される。傘を閉じるときは、中棒を短縮し、開傘用バネを圧縮して、はじきを座体に戻し、弾性片等の部材によって下はじきを係止して傘を閉じ合わせる。この自動開閉式傘は閉じる過程において、開傘用バネに弾性エネルギーを蓄えさせるため、中棒を縮め、下ろくろを完全にハンドル内の位置決め位置に係止させることで、傘を閉じる動作を完了することができる。加圧の過程において一定の施力と正確な位置決めが必要であるため、加圧過程で位置決め位置まで到達していないときに手が離れると、傘の中棒が開傘用バネの延びで展開され、且つその力が比較的大きい。このため、このような自動開閉式傘には傘を閉じる過程において安全上の憂慮があり、使用時に使用者が怪我をする恐れがある。
【考案の概要】
【考案が解決しようとする課題】
【０００３】
本考案の目的は、自動開閉式傘の傘を閉じる過程において、傘の下ろくろを任意の位置に停留させることができ、自動開閉式傘を閉じるときの安全性を高めた、傘の開閉制御装置を提供することにある。
【課題を解決するための手段】
【０００４】
上述の目的を達するため、本考案の傘の開閉制御装置は、傘の開閉制御装置であって、ハンドルの座体上に設置され、プッシュ部材が前記座体内に可動的に設置され、前記座体上部に前記プッシュ部材に制御される制御機構が設置され、前記制御機構が制御器及び制御器内芯を含み、前記制御器内芯が前記制御器内に可動可能に設置され、前記プッシュ部材が前記制御器上部から挿入され、前記座体一端側に前記座体の径方向に相対して回転する回転盤が設置され、前記回転盤の円周壁面上に複数のラチェット部と壁面全周に設けた巻回溝が形成され、ぜんまいの一端が前記座体上に固定され他端が前記回転盤上に固定されることにより、前記回転盤を回転させる弾性力が形成され、前記座体上に前記制御器内芯に押されて連動する揺動体が設置され、前記揺動体はねじりバネの制御で常に前記回転盤と接触するトルクを備え及び前記回転盤の前記ラチェット部と係合し、回転盤ワイヤの一端が前記回転盤上に固定され、前記回転盤の前記巻回溝上に巻き付けられて他端が前記制御機構と前記座体に挿通され、傘の上ろくろに接続されたことを特徴とする。
【０００５】
本考案の傘の開閉制御装置は、前記座体上部の軸方向に通孔が設けられ、下部に固定部が形成され、径方向に回転軸が凸設され、前記回転盤の一面に円形の凹陥槽が形成され、前記回転盤が回転可能に前記座体下部に凸設された前記回転軸上に枢着され、前記ぜんまいが前記回転盤上の円形の凹陥槽内に設置され、前記ぜんまいの両端がそれぞれ前記回転軸と前記凹陥槽の壁面上に接続されたことを特徴とする。
【０００６】
本考案の傘の開閉制御装置は、前記プッシュ部材の末端に開傘ワイヤが接続され、前記開傘ワイヤの他端が前記傘の下ろくろ上に固定され、前記プッシュ部材の頭部にボタンユニットと係合されるくびれ部が形成され、前記プッシュ部材の先端に前方に向かってピン部が延伸されたことを特徴とする。
【０００７】
本考案の傘の開閉制御装置は、前記制御器は管状の部材であり、内部軸方向に貫通する中空管路が形成され、前記制御器の一端側の側面上に前記ボタンユニットを伸入させて前記プッシュ部材と係合するためのウィンドウが開設され、前記制御器の他端側の側面上に側面全体を貫通し、前記回転盤ワイヤを挿通させるための凹陥溝が開設されたことを特徴とする。
【０００８】
本考案の傘の開閉制御装置は、前記制御器内芯が前記制御器の前記中空管路内部に可動可能に設置される管状の部材であり、その側面上に細長孔が開設され、且つ前記凹陥溝の両端が共に側面に設けられたことを特徴とする。
【０００９】
本考案の傘の開閉制御装置は、前記制御器の前記中空管路の内壁端部上にガイド溝が設けられ、前記制御器内芯の側面上に前記ガイド溝に係合されるガイド突起部が設けられたことを特徴とする。
【００１０】
本考案の傘の開閉制御装置は、前記制御器上部の前記凹陥溝の末端部に外縁部から前記中空管路まで貫通する連通溝が形成され、前記凹陥溝の両端が共に側面に設けられたことを特徴とする。
【００１１】
本考案の傘の開閉制御装置は、前記制御器内芯が頭部柱体、後部柱体、バネを含み、前記頭部柱体と前記後部柱体が前記バネを介して連接され、中間部を軸方向に圧縮変形可能な部材を形成し、前記頭部柱体の軸方向に細長孔が設けられたことを特徴とする。
【００１２】
本考案の傘の開閉制御装置は、前記揺動体が２つの自由端を備えた塊体であり、その一方の自由端が前記制御器から挿出された前記制御器内芯の端部に当接し、前記揺動体の他方の自由端が前記回転盤の円周壁面上に当接され、且つ円周壁面上の前記ラチェット部と係合可能であることを特徴とする。
【考案の効果】
【００１３】
上述の構成を採用し、本考案はハンドル内の座体下部に回転可能な回転盤を設置し、且つ前記回転盤に傘の上ろくろに接続された回転盤ワイヤを巻取ることができ、前記回転盤の回転は前記プッシュ部材により制御機構が揺動体を押し、回転盤の円周壁面上のラチェット部と係合させるか否かにより決定され、回転盤が回転すると同時に回転盤ワイヤを巻き取り、傘を閉じるときに中棒を任意の位置に停留させることを可能にし、傘を閉じる過程において、中棒が開傘用バネの回復弾力の作用下で再度高速で展開し、使用者に怪我をさせるという危険性を効果的に回避することができる。
【００１４】
また、前記制御器内芯は頭部柱体、後部柱体、バネを含んで成る中間部を縦方向に圧縮変形可能な部材であり、前記頭部柱体と前記後部柱体が前記バネを介して連接され、この縦方向に圧縮変形する部材は、組み立て時に制御器、プッシュ部材の寸法精度に対する要求が高くないため、組み立て上非常に便利であり、良品率を大幅に高めることができる。
【００１５】
さらに、前記制御器の側壁の凹陥溝の末端部に連通溝が設けられ、前記連通溝と制御器の中空管路が連通され、回転盤ワイヤを前記連通溝に陥入させることにより、凹陥溝の端部と摩擦して前記回転盤ワイヤが引っ掛かったり、磨耗して断裂したりして傘を開いたときの状態に影響しないようにすることができる。
【図面の簡単な説明】
【００１６】
【図１】本考案の立体分解図である。
【図２】本考案の制御機構の立体分解図である。
【図３】本考案の制御器と回転盤ワイヤの組み合わせ関係を示す立体図である。
【図４】本考案の組み立てた状態を示す正面図である。
【図５】本考案の組み立てた状態を示す断面図である。
【図６】本考案の傘を閉じる動作を示す正面図１である。
【図７】本考案の傘を閉じる動作を示す正面図２である。
【図８】本考案を中棒に組み合わせた構造を示す概略図である。
【考案を実施するための形態】
【００１７】
図１乃至図８に示すように、本考案の傘の開閉制御装置は、ハンドルの座体１上に設置され、プッシュ部材２が座体１内に可動的に挿入され、座体１の上部にプッシュ部材２により制御される制御機構が設置され、前記制御機構が、制御器３、制御器内芯４、揺動体５、ねじりバネ６、回転盤７、ぜんまい８及び回転盤ワイヤ９を含む。
【００１８】
座体１はハンドル（図示せず）内に固定され、その上部の軸方向に通孔１１が設けられ、下部に固定部が形成され、且つ径方向に回転軸１２が設置される。さらに、座体１の前部の径方向にボタンユニット１３を組み込むための取付部１４と、下ろくろ（図示しない）を組み込むための位置決め部が設けられるが、これは本考案の重点でないため説明を省略する。
【００１９】
プッシュ部材２は末端に開傘ワイヤ１０１が接続され（図８参照）、開傘ワイヤ１０１の他端は前記下ろくろ上に固定される（図示しない）。プッシュ部材２の頭部にボタンユニット１３を係合するためのくびれ部が設けられ、プッシュ部材２の先端にピン部２１が設けられる。これは下述する制御器内芯４に接触させることがその目的である。
【００２０】
図２に示すように、制御器３は管状の部材であり、座体１の縦方向の通孔１１内に挿入して固定される。制御器３は内部の軸方向に貫通状の中空管路３１が形成され、中空管路３１にはプッシュ部材２と制御器内芯４が挿入される。制御器３の一の側面にボタンユニット１３の制御部を伸入させてプッシュ部材２を係合するウィンドウ３５が開設される。制御器３の側面上に軸方向に一端から他端まで連続して設けられた、回転盤ワイヤ９が挿通される凹陥溝３３が開設される。図３に示すように、開傘用バネ１０と接触する端部の凹陥溝３３の末端部分に外縁部から中空管路３１まで貫通する連通溝３３１を形成し、回転盤ワイヤ９を連通溝３３１に陥入させて回転盤ワイヤ９と開傘用バネ１０との接触を避けるような構造とし、凹陥溝３３の端部と開傘用バネ１０が摩擦して回転盤ワイヤ９が引っ掛かったり、磨耗による断裂の防止、回転盤ワイヤ９の磨耗を防止する。凹陥溝３３の両端は共に側面に設けられ、中空管路３１の下端口３２の内壁上にガイド溝３１１が形成される。
【００２１】
制御器内芯４は中空管路３１下部に可動的に設置される管状部材であり、制御器内芯４は頭部柱体４１、後部柱体４２、バネ４３を含む。頭部柱体４１は後部柱体４２とバネ４３を介して連接され、中間部を縦方向に圧縮変形させることができる弾性部材を有する。制御器内芯４を組み込むとき、制御器３、プッシュ部材２の寸法精度に対する要求が高くないため不良率を低くすることができる。頭部柱体４１は径方向に細長孔４１１が設けられ、固定部材が挿通される（図５参照）。制御器内芯４は制御器３内に位置決めされ、且つ細長孔４１１を利用して制御器３内で前後に移動することができる。また、頭部柱体４１の外壁上にガイド溝３１１と組み合わされるガイド突起部４１２が設けられ、制御器内芯４と制御器３の正確な組み立てを補助し、組み立てを容易にすることができる。
【００２２】
回転盤７は一面に円形の凹陥槽７１が形成され（図１、図４及び図５参照）、その円周壁面上に３つ以上のラチェット部７２と壁面全周に設けた巻回溝７３が形成され、回転盤７が回転可能に座体１の下部に凸設された回転軸１２上に設置される。ぜんまい８は回転盤７の凹陥槽７１内に設置され、ぜんまい８の両端が各々回転軸１２と凹陥槽７１の槽壁面上に接続されることで、回転盤７を回転軸１２の周りで回転させる弾性駆動力が成る。
【００２３】
揺動体５は２つの自由端を備えた塊体であり（図１及び図４参照）、揺動体５の中央部に軸ピン５１が挿設され、揺動体５が揺動可能と成るように座体１上に取り付けられ、また、制御器３の下端口３２及び回転盤７との間に位置する。揺動体５と軸ピン５１との間にねじりバネ６が設置され、揺動体５が常に回転盤７と接触するトルクを備える。揺動体５の一端の自由端が突出した制御器内芯４の端部に当接し、揺動体５の他端の自由端が回転盤７の円周壁面上に当接され、且つ円周壁面上のラチェット部７２と係合可能とされる。
【００２４】
回転盤ワイヤ９は一端が回転盤７上に固定され、且つ回転盤７の巻回溝７３上に巻き付けられて、他端が制御器３の凹陥溝３３に挿通されて傘の上ろくろに接続される。
【００２５】
さらに図２に示すように、多節状の中棒１０２は端部に位置決め切欠部１０２１が形成され、位置決め切欠部１０２１は制御器３の頭部柱体４１に接する端部の側面に設けた位置決め突起３４と咬み合い、制御器３を正確に中棒１０２に取り付けることができる。
【００２６】
図４を併せて参照する。傘を閉じていないときは、中棒１０２が座体１内に挿入されておらず、揺動体５は自由端の一端が回転盤７の円周壁面上に当接し、円周壁面上の前記ラチェット部７２と係合して、回転盤７の回転が制限される。
【００２７】
図５、図６、図７及び図８に示すように、傘を閉じるときは、中棒１０２が座体１内に挿入され、プッシュ部材２が制御器３の中空管路３１の上部に挿入され、そのピン部２１の下端面が図６の矢印方向に後部柱体４２の上端面を押し、制御器内芯４が矢印方向に移動して当接している揺動体５の自由端を押して矢印方向へ移動させ、梃子の作用下で、揺動体５の回転盤７と当接している他端の自由端が持ち上がり、回転盤７の円周壁面上のラチェット部７２から離脱し、回転盤７がぜんまい８の作用下で回転軸１２の周りで回転し、回転盤ワイヤ９が回転盤７の巻回溝７３上に巻取られる（図１参照）。中棒１０２が途中まで押されて停止すると、中棒１０２が開傘用バネ１０の回復弾性力により戻り、プッシュ部材２が押されて制御器３内から出て、揺動体５が押される力を失い、ねじりバネ６の作用で再度回転盤７の円周壁面上のラチェット部７２に係合されるため、中棒１０２が高速で戻ることがない。これにより、傘を閉じるときに中棒１０２を任意の位置で停留させることができるため、傘を閉じる過程において、中棒１０２が開傘用バネ１０の回復弾性力の作用下で再度高速で展開し、使用者が怪我をするという危険性を効果的に防止することができる。
【符号の説明】
【００２８】
１      座体
２      プッシュ部材
３      制御器
４      制御器内芯
５      揺動体
６      ねじりバネ
７      回転盤
８      ぜんまい
９      回転盤ワイヤ
１０    開傘用バネ
１１    通孔
１２    回転軸
１３    ボタンユニット
１４    取付部
３１    中空管路
３２    下端口
３３    凹陥溝
３４    位置決め突起
３５    ウィンドウ
４１    頭部柱体
４２    後部柱体
４３    バネ
５１    軸ピン
７１    凹陥槽
７２    ラチェット部
７３    巻回溝
１０１  開傘ワイヤ
１０２  中棒
３１１  ガイド溝
３３１  連通溝
４１１  細長孔
４１２  ガイド突起部
【図１】
0003160984.tif 000003
【図２】
0003160984.tif 000004
【図３】
0003160984.tif 000005
【図４】
0003160984.tif 000006
【図５】
0003160984.tif 000007
【図６】
0003160984.tif 000008
【図７】
0003160984.tif 000009
【図８】
0003160984.tif 000010